(57)【要約】【課題】高欄も一体で撤去できる床版の撤去方法を提供する。【解決手段】桁１の位置ではない、床版２下が開放してある位置において、床版２を切断して軸方向切断線３を形成する。軸方向切断線３と直交する方向に横断方向切断線４を形成する。この軸方向切断線３と横断方向切断線４によって撤去区域を形成する。桁１の上に円柱穴７を形成し、円柱穴７の内部に反力受け９を挿入する。反力受け９の上ジャッキ８を設置する。水平桁１０と床版２を吊り材１１で連結する。ジャッキ８によって水平桁１０を押し上げて床版２を鋼桁１から剥離する。【選択図】図１
2014077279.tif 000002
【特許請求の範囲】
【請求項１】
橋梁の鋼製の桁の上に設置してあるコンクリート製の床版を撤去区域ごとに切断して撤去する方法であって、
桁で支持した床版を橋梁の軸方向に切断するに際し、
軸方向切断線は、
桁の上の位置ではなく床版下が開放してある位置であって、
かつ撤去区域を支持している桁に対して遠い高欄の側に形成し、
さらに軸方向切断線と直交する方向に横断切断線を形成し、
この軸方向切断線と横断切断線によって撤去区域を形成し、
一方、床版を桁の上でかつ、複数の位置において円柱状に切断し、
その上に鉛直方向にジャッキを設置し、
複数のジャッキの上には水平桁を水平方向に設置し、
水平桁と撤去区域の一部とを、鉛直方向の吊り材で連結し、
ジャッキの伸長によって水平桁、吊り材を上昇させて、吊り材で吊っている床版の撤去区域と桁とを剥離して行う、
床版の撤去方法。
【請求項２】
上記の方法であって、
床版を桁の上でかつ、複数の位置において円柱状に切断して内部のコアを撤去し、
コアを抜いた円柱穴の内部に反力受けを挿入し、
反力受けの上に鉛直方向にジャッキを設置して行う、
請求項１記載の床版の撤去方法。
【発明の詳細な説明】
【技術分野】
【０００１】
本発明は床版を撤去する方法に関するものである。
【背景技術】
【０００２】
橋梁の長年の使用で老朽化したり、設計基準が変更したという理由で橋梁の床版を解体、撤去する要求が生じている。
そのために例えば特許文献１に示すような技術が公開されている。
その内容を図５で示すと、床版ａの上から主桁ｂに達する深さまで切断線ｃを形成し、かつそれと直角にも切断して矩形の切断領域を形成する。
さらに、やはり主桁の上で床版に円柱状のコア抜きを行い、コアを撤去した穴にジャッキｄを設置する。
切断領域の床版ａと架台ｅとを吊り材ｆで連結し、その架台ｅを主桁ｂ上の穴に設置したジャッキｄで押し上げる。
この結果、床版ａと主桁ｂの縁切りを行い、その後に床版ａを撤去する、という方法である。
【先行技術文献】
【特許文献】
【０００３】
【特許文献１】特開２０１０−２４７４２号公報
【発明の概要】
【発明が解決しようとする課題】
【０００４】
前記した図５や特許文献１に示す従来の床版の撤去方法にあっては、次のような問題点がある。
＜１＞  床版ａの上から、主桁ｂに沿って切断線ｃを形成する方法であるために、両側の高欄ｇ部分は切断線ｃの外側に位置する。
＜２＞  そのために高欄ｇ部分はジャッキｄの押し上げでは主桁ｂとの縁切りすることができない。
＜３＞  そのために、切断領域のジャッキｄによる押し上げとは別に、切断線ｃの外側に残った高欄ｇを人力によってハツる作業が必要となる。
【課題を解決するための手段】
【０００５】
上記のような課題を解決する本発明の橋梁の床版の撤去方法は、橋梁の鋼製の桁の上に設置してあるコンクリート製の床版を撤去区域ごとに切断して撤去する方法であって、桁で支持した床版を橋梁の軸方向に切断するに際し、軸方向切断線は、桁の上の位置ではなく床版下が開放してある位置であって、かつ撤去区域を支持している桁に対して遠い高欄の側に形成し、さらに軸方向切断線と直交する方向に横断切断線を形成し、この軸方向切断線と横断切断線によって撤去区域を形成し、一方、床版を桁の上でかつ、複数の位置において円柱状に切断し、その上に鉛直方向にジャッキを設置し、複数のジャッキの上には水平桁を水平方向に設置し、水平桁と撤去区域の一部とを、鉛直方向の吊り材で連結し、ジャッキの伸長によって水平桁、吊り材を上昇させて、吊り材で吊っている床版の撤去区域と桁とを剥離して行う床版の撤去方法を特徴としたものである。
【発明の効果】
【０００６】
本発明の床版の撤去方法は以上説明したようになるから次のような効果を得ることができる。
＜１＞  軸方向切断線は床版を受ける桁の存在しない位置で行う。そのために床版の両側では、高欄も含めて切断領域を形成することができる。
＜２＞  したがって高欄部分と桁との剥離、縁切りを同時に行うことができ、剥離残りの部分が発生しない。そのために切断領域の剥離作業とは別に人力による破壊作業が不要であり、撤去作業を迅速に行うことができる。
【図面の簡単な説明】
【０００７】
【図１】本発明の床版の撤去方法の実施例の説明図。
【図２】その断面からの説明図。
【図３】床版を桁から剥離した状態の説明図。
【図４】剥離後に高欄の一体化した床版を撤去する状態の説明図。
【図５】従来の床版の撤去方法の説明図。
【発明を実施するための形態】
【０００８】
以下図面を参照にしながら本発明の好適な実施の形態を詳細に説明する。
【実施例】
【０００９】
＜１＞前提条件
本発明は、合成桁、あるいは単に鋼材の桁１の上に設置してある橋梁であって、かつその床版２の最も外側には高欄が形成してある床版２を撤去する方法である。
合成桁の場合はもちろん一般の橋梁においても、鋼材の桁１と場所打ちのコンクリート床版２がジベルやボルトを介して強固に一体化しているので、その一体化部分における床版２の剥離が重要である。
【００１０】
＜２＞床版の軸方向切断
まずコンクリート製の床版２を、橋梁の軸方向に切断して軸方向切断線３を形成する。
この軸方向切断線３によって橋梁の軸方向の撤去区域を定める。
その際に軸方向切断線３は、桁１の上ではなく、下に桁１の存在しない部分において切断線３を形成する。
したがって床版２の下が開放状態にあるので、回転カッターを深く侵入させても、床版２下の鋼桁１に食い込むというような問題がない。
【００１１】
＜３＞高欄の位置との関係
ある桁１と高欄５との関係では、近い高欄５と、それより遠い高欄５が存在する。
そこで上記の軸方向切断線３は、桁１の上ではなく、かつその桁１に対して遠い高欄５の側に設ける。
前記したように橋梁において高欄５およびその取り付け部分は桁１から外方に張り出している。
そのために切断線３を桁１の上に形成すると、従来の問題点で指摘したように、桁１よりも張り出した高欄５とその取り付け部分は撤去区域の範囲外となり一体的に吊り上げ解体を行うことができない。
しかし本発明の方法では軸方向の切断線３を、桁１の上ではなく、その桁１に対して遠い高欄５の側であって、下に桁１の存在しない部分において形成する。
そのために桁１から外方に張り出した高欄５とその取付部分を含んで撤去区域を設定することができ、高欄５と床版２とを一体的に撤去することができる。
【００１２】
＜４＞横断方向切断線
さらに軸方向切断線３と直交する方向に横断方向切断線４を形成する。
前記の軸方向切断線３と横断方向切断線４によって、矩形の撤去区域を形成することができる。
【００１３】
＜５＞円柱穴の形成
それとは別に、桁１の上において、複数の位置において円柱状に切断線６を形成する。
この円柱切断線６は、桁１の上において形成し、床版２と桁１との境界まで切断することで円柱状に独立したコアが発生する。
そして場合によってはこの内部のコアを撤去して円柱穴７を形成する。
円柱穴７は２か所を１組とし、この１組は横断方向切断線４と平行する位置に形成する。
円柱穴７の内径は、少なくとも後述するジャッキ８のピストンの外径よりも大きい寸法に形成する。
【００１４】
＜６＞反力受けの挿入
コアを除去した場合には円柱穴７の内部に反力受け９を挿入する。
この反力受け９は、単なる鋼材の円柱ブロックである。
円柱穴７の下面は桁１の上面であるから、反力受け９は桁１の上に搭載した状態を呈する。
円柱穴７に反力受け９を挿入する理由のひとつは、コアを残したまま、その上にジャッキ８を設置して反力を取ると、コアが座屈する可能性があるからである。
他の理由は、ジャッキ８にはシリンダーの側面に油圧パイプとの接続部が突出しているから、その全体を円柱穴７に設置しようとすると、円柱穴７の直径が大きくなるためである。
その点でジャッキ８のピストン側を反力受け９の上に設置すれば、小さい直径の円柱穴７を形成した場合でも、床版２の上昇可能な寸法を十分に得ることができる。
ただし反力受けの挿入は不可欠の要件ではない。ジャッキ８のピストンの外径次第で円柱穴７に挿入できるからである。
【００１５】
＜７＞ジャッキの設置
撤去区域の床版と縁切りした各コアの上に、あるいは各円柱穴７の内部の反力受け９の上に鉛直方向にジャッキ８を設置する。
前記したように反力受け９の上には、ジャッキ８のピストン先端を設置して、シリンダー側が上昇するように配置する。
【００１６】
＜８＞水平桁の設置
横断方向切断線４と平行に配置した１組のジャッキ８の上には水平桁１０を水平方向に設置する。
この水平桁１０は、例えばＨ型鋼を採用することができる。
【００１７】
＜９＞吊り材による連結
水平桁１０と撤去区域の一部とを、鉛直方向の吊り材１１で連結する。
そのために水平桁１０の下の適宜の位置に、床版２を貫通する貫通孔を削孔する。
その貫通孔に吊り材１１を挿入し、吊り材１１の下端と床版２とをナットなどで固定する。
また吊り材１１の上端と水平桁１０とをナットなどで固定する。
こうして、床版２と水平桁１０とを吊り材１１によって一体化する。
【００１８】
＜１０＞ジャッキの伸長
以上の準備が整った状態で、ジャッキ８を伸長する。
ジャッキ８の伸長によって、桁１に反力を取って水平桁１０と吊り材１１が上昇するから、吊り材１１で吊っている床版２の撤去区域も上昇する。
すると撤去区域の床版２を桁１から剥離することができる。
【００１９】
＜１１＞高欄の一体吊り上げ
上記したように本発明の方法では軸方向の切断線３を、桁１の上ではなく、その桁１に対して遠い高欄５の側であって、下に桁１の存在しない部分において形成する。
そのために桁１から外方に張り出した高欄５とその取付部分を含んで撤去区域を設定することができ、ジャッキ８の伸長によって高欄５と床版２とを一体的に撤去することができる。
その結果、従来の方法のように高欄５と取り付け部分だけが桁１の外に残り、別の工程で破壊する、という手数を必要としない。
【００２０】
＜１２＞床版の撤去
床版２を、桁１からいったん縁切りできたら、ジャッキ８を短縮して床版２を桁１の上に降ろしても問題はない。
その状態で水平桁１０の下に仮受けの架台などを設置して水平桁１０を受けておき、ジャッキ８を短縮してジャッキ８や反力受け９を撤去する。
その後に水平桁１０をクレーンで吊り上げると、水平桁１０と撤去区域の床版２を一体として吊り上げることができる。
それを未解体の橋梁上や路上で待機するトラックに搭載して解体場所や廃棄場所へ運搬する。
こうして床版の１区域の撤去が完了する。
【符号の説明】
【００２１】
１：桁
２：床版
３：切断線
４：横断方向切断線
５：高欄
６：円柱切断線
７：円柱穴
８：ジャッキ
９：反力受け
１０：水平桁
１１：吊り材
【図１】
2014077279.tif 000003
【図２】
2014077279.tif 000004
【図３】
2014077279.tif 000005
【図４】
2014077279.tif 000006
【図５】
2014077279.tif 000007